(57)【要約】【課題】ノズルヘッドを小型・軽量化することが可能なフォーマーディスペンサーを提供する。【解決手段】ベースキャップ１と、２つのポンプ２、３と、押下げ動作及び復帰動作により２つのポンプ２、３を作動させるノズルヘッド２０とを有し、２つのポンプ２、３から圧送された内容液と空気とを合流させるとともに発泡部材２１を通して発泡させてノズルヘッド２０の吐出口２０ｂから吐出させるフォーマーディスペンサーであって、空気用のポンプ３に外気を供給するための外気導入用通気路ｔ４がベースキャップ１と口部との間に区画形成されてベースキャップ１の下端に開口するとともに、ノズルヘッド２０が首筒部２０ａとノズル部２０ｄと板状のヘッドプレート２０ｅとを有し、吐出流路２０ｃの断面形状が上下方向に対して水平方向の幅が広い略矩形形状であることを特徴とするフォーマーディスペンサー。【選択図】図１
2019119472.tif 000002
【特許請求の範囲】
【請求項１】
容器の口部に装着されて該口部の開口を覆うベースキャップと、該ベースキャップにより前記容器の内部に保持され、内容液と空気とをそれぞれ個別に吸引、加圧、圧送する２つのポンプと、前記ベースキャップから上方に突出するとともに該ベースキャップに対して上下方向に移動自在に設けられ、押下げ動作及び復帰動作により２つの前記ポンプを作動させるノズルヘッドとを有し、２つの前記ポンプから圧送された内容液と空気とを合流させるとともに発泡部材を通して発泡させて前記ノズルヘッドの吐出口から吐出させるフォーマーディスペンサーであって、
空気の吸引、加圧、圧送に供する前記ポンプに外気を供給するための外気導入用通気路が前記ベースキャップと前記口部との間に区画形成されて該ベースキャップの下端に開口するとともに、
前記ノズルヘッドが、
２つの前記ポンプから内容液と空気とが圧送される内部通路を備え、前記ベースキャップの天壁から突出する支持筒部の内側に下方側の部分が配置される首筒部と、
前記内部通路に連なるとともに先端が前記吐出口となる吐出流路を備え、前記首筒部の上端から該首筒部の軸方向に対して傾斜した方向に延びるノズル部と、
前記ノズル部の上壁に一体に設けられた板状のヘッドプレートと、を有し、
前記吐出流路の断面形状が上下方向に対して水平方向の幅が広い略矩形形状であることを特徴とするフォーマーディスペンサー。
【請求項２】
内容液の吸引、加圧、圧送に供する前記ポンプが、
前記容器の内部の内容液を吸引する吸引口を底部に備える小径シリンダと、
前記小径シリンダの内周面に当接し、前記ノズルヘッドにより押されて該小径シリンダの底部へ向けて摺動することで該小径シリンダの内部の内容液を前記ノズルヘッドに向けて圧送する中空ピストンと、
前記中空ピストンにより圧送された内容液を前記ノズルヘッドに送る内側通路を有するとともに外周面に径方向外側に突出するフランジを有する中空ステムと、を備え、
空気の吸引、加圧、圧送に供する前記ポンプが、
前記小径シリンダに一体連結する底部を有する大径シリンダと、
前記大径シリンダの内周面に当接し、前記ノズルヘッドにより押されて該大径シリンダの底部へ向けて摺動することで該大径シリンダの内部の空気を前記ノズルヘッドに向けて圧送するエアーピストンと、
前記エアーピストンの内周縁に一体に設けられ、前記中空ステムを取り囲んで該中空ステムとの相互間に前記ノズルヘッドに連通する通気路を形成するとともに該中空ステムをスライド可能に保持し、且つ、前記中空ステムの下方へのスライドに伴い前記フランジから離反することで前記通気路を前記大径シリンダと前記エアーピストンとで区画された加圧室に連通させる筒状ガイドとを備え、
前記エアーピストンに、前記外気導入用通気路に連通する開孔と該開孔を開閉する逆止弁とが設けられている、請求項１に記載のフォーマーディスペンサー。
【請求項３】
前記ベースキャップは、前記天壁の外周縁に一体に連なるとともに前記口部の外周面に設けられた雄ねじにねじ結合する雌ねじが設けられた装着筒壁を有し、
前記外気導入用通気路は、前記装着筒壁の内周面に沿って該装着筒壁の下端から上端にまで前記雌ねじを周方向に分断しつつ延びるとともに前記天壁の内面に沿って前記大径シリンダの上端を跨いで延びる溝状に形成されている、請求項２に記載のフォーマーディスペンサー。
【請求項４】
前記吐出流路が、前記内部通路の側から前記吐出口の側に向けて水平方向の幅が広がる形状である、請求項１〜３の何れか１項に記載のフォーマーディスペンサー。
【請求項５】
前記支持筒部の内周面に、前記首筒部の外周面に弾性的に当接して前記支持筒部の内周面と前記首筒部の外周面との間を密に密封するシール片が設けられている、請求項１〜４の何れか１項に記載のフォーマーディスペンサー。
【発明の詳細な説明】
【技術分野】
【０００１】
本発明は、容器の内部に収容されている内容液を空気と混合させて泡状に吐出させるフォーマーディスペンサーに関するものである。
【背景技術】
【０００２】
シャンプー、ボディソープ、ハンドソープ、洗顔料等を内容液として収容する容器として、内容液の泡立て動作を省略して簡便な使用を図る観点から、内容液を空気と混合させて泡状に吐出させるようにしたフォーマーディスペンサーを装備したものが多用されている。
【０００３】
このようなフォーマーディスペンサーとしては、例えば、容器の口部に装着されて口部の開口を覆うベースキャップを備え、内容液と空気とをそれぞれ個別に吸引、加圧、圧送する２つのポンプがベースキャップにより容器の内部に保持されるとともに、ベースキャップからはノズルヘッドが上方に突出して設けられ、ノズルヘッドを押下げ動作及び復帰動作させることにより、２つのポンプを作動させ、これらのポンプから圧送された内容液と空気とを合流させつつ発泡部材を通して発泡させてノズルヘッドの吐出口から泡状に吐出させるようにした構成のものが知られている（例えば、特許文献１参照）。
【先行技術文献】
【特許文献】
【０００４】
【特許文献１】特開２０１５−２０７６０号公報
【発明の概要】
【発明が解決しようとする課題】
【０００５】
上記した従来のフォーマーディスペンサーでは、ベースキャップの天壁に当該天壁から突出する支持筒部を設け、ノズルヘッドの首筒部を支持筒部の内側に配置した構成とするとともに、支持筒部の内周面と首筒部の外周面との間の隙間を通して、空気の吸引、加圧、圧送に供するポンプに外気を供給するようにしている。
【０００６】
しかし、このような構成では、支持筒部の上端から当該隙間を通してポンプに水等が侵入する虞がある。そのため、上記した従来のフォーマーディスペンサーでは、当該水の侵入を防止するために、ノズルヘッドに支持筒部を外側から覆うカバー筒を設けるようにしているが、このような構成では、ノズルヘッドが大型で重いものとなってしまい、ノズルヘッドを小型・軽量化する上で改良の余地があった。
【０００７】
また、上記したような従来のフォーマーディスペンサーでは、ノズルヘッドに設けられたノズル部の内側流路すなわち吐出口を有する吐出流路の断面形状は略正方形状となっているのが一般的であるが、吐出流路の断面形状を略正方形状としたままノズル部の断面積を小さくすると、吐出流路の内面の面積が減少することで内容液が吐出流路から受ける抵抗が減少し、内容液が吐出口から過度に勢いよく吐出されて周囲に飛び散ってしまうという問題が生じることになる。そのため、ノズル部をその断面積が小さい小型のものとしてノズルヘッドを軽量化することは困難であり、この点からもノズルヘッドを小型・軽量化する上で改良の余地があった。
【０００８】
本発明は、このような問題点を解決することを課題とするものであり、その目的は、ノズルヘッドを小型・軽量化することが可能なフォーマーディスペンサーを提供することにある。
【課題を解決するための手段】
【０００９】
本発明のフォーマーディスペンサーは、容器の口部に装着されて該口部の開口を覆うベースキャップと、該ベースキャップにより前記容器の内部に保持され、内容液と空気とをそれぞれ個別に吸引、加圧、圧送する２つのポンプと、前記ベースキャップから上方に突出するとともに該ベースキャップに対して上下方向に移動自在に設けられ、押下げ動作及び復帰動作により２つの前記ポンプを作動させるノズルヘッドとを有し、２つの前記ポンプから圧送された内容液と空気とを合流させるとともに発泡部材を通して発泡させて前記ノズルヘッドの吐出口から吐出させるフォーマーディスペンサーであって、空気の吸引、加圧、圧送に供する前記ポンプに外気を供給するための外気導入用通気路が前記ベースキャップと前記口部との間に区画形成されて該ベースキャップの下端に開口するとともに、前記ノズルヘッドが、２つの前記ポンプから内容液と空気とが圧送される内部通路を備え、前記ベースキャップの天壁から突出する支持筒部の内側に配置される首筒部と、前記内部通路に連なるとともに先端が前記吐出口となる吐出流路を備え、前記首筒部の上端から該首筒部の軸方向に対して傾斜した方向に延びるノズル部と、前記ノズル部の上壁に一体に設けられた板状のヘッドプレートと、を有し、前記吐出流路の断面形状が上下方向に対して水平方向の幅が広い略矩形形状であることを特徴とする。
【００１０】
本発明のフォーマーディスペンサーは、上記構成において、内容液の吸引、加圧、圧送に供する前記ポンプが、前記容器の内部の内容液を吸引する吸引口を底部に備える小径シリンダと、前記小径シリンダの内周面に当接し、前記ノズルヘッドにより押されて該小径シリンダの底部へ向けて摺動することで該小径シリンダの内部の内容液を前記ノズルヘッドに向けて圧送する中空ピストンと、前記中空ピストンにより圧送された内容液を前記ノズルヘッドに送る内側通路を有するとともに外周面に径方向外側に突出するフランジを有する中空ステムと、を備え、空気の吸引、加圧、圧送に供する前記ポンプが、前記小径シリンダに一体連結する底部を有する大径シリンダと、前記大径シリンダの内周面に当接し、前記ノズルヘッドにより押されて該大径シリンダの底部へ向けて摺動することで該大径シリンダの内部の空気を前記ノズルヘッドに向けて圧送するエアーピストンと、前記エアーピストンの内周縁に一体に設けられ、前記中空ステムを取り囲んで該中空ステムとの相互間に前記ノズルヘッドに連通する通気路を形成するとともに該中空ステムをスライド可能に保持し、且つ、前記中空ステムの下方へのスライドに伴い前記フランジから離反することで前記通気路を前記大径シリンダと前記エアーピストンとで区画された加圧室に連通させる筒状ガイドとを備え、前記エアーピストンに、前記外気導入用通気路に連通する開孔と該開孔を開閉する逆止弁とが設けられているのが好ましい。
【００１１】
本発明のフォーマーディスペンサーは、上記構成において、前記ベースキャップは、前記天壁の外周縁に一体に連なるとともに前記口部の外周面に設けられた雄ねじにねじ結合する雌ねじが設けられた装着筒壁を有し、前記外気導入用通気路は、前記装着筒壁の内周面に沿って該装着筒壁の下端から上端にまで前記雌ねじを周方向に分断しつつ延びるとともに前記天壁の内面に沿って前記大径シリンダの上端を跨いで延びる溝状に形成されているのが好ましい。
【００１２】
本発明のフォーマーディスペンサーは、上記構成において、前記吐出流路が、前記内部通路の側から前記吐出口の側に向けて水平方向の幅が広がる形状であるのが好ましい。
【００１３】
本発明のフォーマーディスペンサーは、上記構成において、前記支持筒部の内周面に、前記首筒部の外周面に弾性的に当接して前記支持筒部の内周面と前記首筒部の外周面との間を密に密封するシール片が設けられているのが好ましい。
【発明の効果】
【００１４】
本発明によれば、ノズルヘッドを小型・軽量化することが可能なフォーマーディスペンサーを提供することができる。
【図面の簡単な説明】
【００１５】
【図１】本発明の一実施の形態であるフォーマーディスペンサーを容器の口部に装着した状態で示す一部切欠き断面図である。
【図２】図１に示すフォーマーディスペンサーの要部を拡大して示す拡大断面図である。
【図３】図１に示すノズルヘッドの平面図である。
【図４】図３に示すノズルヘッドを矢視Ａから見た図である。
【図５】図３に示すノズルヘッドの変形例を示す平面図である。
【図６】図２に示す状態からノズルヘッドの押下げ動作を開始した状態を示す拡大断面図である。
【図７】図１に示すフォーマーディスペンサーにストッパーを装着した状態を示す説明図である。
【発明を実施するための形態】
【００１６】
以下、図面を参照しつつ、本発明の一実施の形態であるフォーマーディスペンサーを詳細に例示説明する。なお、本願明細書、特許請求の範囲、要約書及び図面において、上下方向は、図１に示すようにフォーマーディスペンサーを装着した容器Ｃを正立姿勢とした状態における上方、下方を意味するものとする。
【００１７】
図１において、符号１は、容器Ｃの口部に装着されるベースキャップである。ベースキャップ１は、天壁１ａと、天壁１ａの外周縁に一体に連なる装着筒壁１ｂとを有し、装着筒壁１ｂの内周面に設けた雌ねじ１ｃが容器Ｃの口部の外周面に設けられた雄ねじにねじ結合することで当該口部に着脱自在に装着される。口部に装着されたベースキャップ１は口部の開口を覆っている。
【００１８】
なお、ベースキャップ１を容器Ｃに装着する構成としては、アンダーカット等の他の構成を用いてもよい。
【００１９】
ベースキャップ１の天壁１ａの中央には上方へ向けて突出する支持筒部１ｄが設けられている。支持筒部１ｄは装着筒壁１ｂを貫いてベースキャップ１の内側空間に通じている。
【００２０】
符号２、３は、ベースキャップ１によって容器Ｃの内部（口部の内側）に保持され、内容液と空気とをそれぞれ個別に吸引、加圧、圧送する２つのポンプである。
【００２１】
内容液の吸引、加圧、圧送に供する内容液用のポンプ２と、空気の吸引、加圧、圧送に供する空気用のポンプ３は、共通のシリンダ部材４を有している。シリンダ部材４は、ポンプ２を構成する小径シリンダ４ａと、小径シリンダ４ａの上部に一体連結する底部を有してポンプ３を構成する大径シリンダ４ｂとが同軸に直列状に配置された形態を成している。シリンダ部材４の上端部分における外周面には径方向外側に突出する断面Ｌ字状の係止部４ｃが設けられ、係止部４ｃが容器Ｃの口部の上端とベースキャップ１の天壁１ａの内面との間にパッキンを介して挟持されることで、ポンプ２、３は口部の内側に保持されている。
【００２２】
内容液用のポンプ２は、小径シリンダ４ａの底部に、容器Ｃの内部の内容液をポンプ２に吸引するための吸引口４ｄを有している。また、吸引口４ｄの縁部には嵌合筒４ｅが設けられ、嵌合筒４ｅには容器Ｃの底部に向けて延在する吸引パイプｐが嵌合保持されている。
【００２３】
小径シリンダ４ａの内部には、小径シリンダ４ａの内周面に当接するとともにその軸線に沿って摺動可能に中空ピストン５が配置されている。
【００２４】
中空ピストン５の内側に形成される内部通路ｔ１にはポペット６が配置されている。ポペット６は、その下端に吸引口４ｄの開閉を行う弁部６ａを有し、その上端に内部通路ｔ１の出口の開閉を行う弁部６ｂを有している。
【００２５】
中空ピストン５の外側には中空ステム７が設けられている。中空ステム７は、中空ピストン５を取り囲む下部筒状壁７ａと、下部筒状壁７ａの上部に一体的に連結するフランジ７ｂと、フランジ７ｂよりも上方に向けて下部筒状壁７ａと同軸に延びて支持筒部１ｄの内側にまで達する上部筒状壁７ｃとを備えている。
【００２６】
ポペット６と中空ピストン５との間にはスプリング８が設けられている。このスプリング８のばね力により、中空ピストン５及び中空ステム７は上方に向けて付勢されている。なお、ポペット６の弁部６ｂは、初期姿勢において中空ステム７の内周面に設けられた縦リブの下端に対向しているが、当該縦リブの内側に入り込んで当該縦リブに沿って摺動することができる。
【００２７】
中空ステム７のフランジ７ｂは、図２に示すように、中空ステム７の外周面から径方向外側に突出している。また、フランジ７ｂには、その上面から起立する環状壁７ｄが一体に設けられている。上部筒状壁７ｃの外周面、フランジ７ｂ及び環状壁７ｄで区画された部分は、上向き開放となる凹部空間Ｓ１となっている。
【００２８】
図２に示すように、上部筒状壁７ｃの上部にはボール支持部７ｅが設けられている。ボール支持部７ｅは中心に貫通孔を有し、ボール支持部７ｅの上方には、ボール支持部７ｅの貫通孔の傾斜した開口端を弁座とするボール弁Ｂが配置されている。ボール弁Ｂは、ボール支持部７ｅの弁座に接触することで貫通孔を閉塞し、当該弁座から離れることで貫通孔を開放する。また、上部筒状壁７ｃにはカバー部材９が嵌合保持されており、このカバー部材９によりボール弁Ｂの抜け出しが阻止されている。
【００２９】
図１に示すように、空気用のポンプ３は、大径シリンダ４ｂの内周面に当接するとともにその軸線に沿って摺動可能に設けられたエアーピストン１０を備えている。エアーピストン１０の内周縁には、中空ステム７を取り囲む筒状ガイド１０ａが一体に設けられている。
【００３０】
図２に示すように、中空ステム７の上部筒状壁７ｃの外周面と筒状ガイド１０ａの内周面との相互間にはスリット状の隙間が形成されており、当該隙間は空気を通すとともに凹部空間Ｓ１に連通する通気路Ａ１となっている。なお、図１、図２に示す初期姿勢において、筒状ガイド１０ａの下端はフランジ７ｂに当接している。また、後述するように、中空ステム７は、筒状ガイド１０ａに対して相対的に僅かに軸方向にスライド可能となっており、中空ステム７が筒状ガイド１０ａに対して下方に向けてスライドすると、筒状ガイド１０ａの下端がフランジ７ｂから離反して通気路Ａ１が開かれる。反対に、中空ステム７が筒状ガイド１０ａに対して上方に向けてスライドすると、筒状ガイド１０ａの下端がフランジ７ｂに当接して通気路Ａ１が閉じられる。
【００３１】
エアーピストン１０は、筒状ガイド１０ａから径方向外側に延在して大径シリンダ４ｂとの相互間に空気を加圧するための加圧室Ｒを区画形成する隔壁１０ｂを有している。隔壁１０ｂには、加圧室Ｒに外気を導入するための開孔１０ｃが設けられている。また、筒状ガイド１０ａの外周面には、開孔１０ｃを開閉する逆止弁１１が嵌合保持されている。
【００３２】
図１に示すように、中空ステム７の上方には、ベースキャップ１から上方に突出するとともにベースキャップ１に対して上下方向に移動自在に合成樹脂製のノズルヘッド２０が設けられている。ノズルヘッド２０を押下げ動作及び復帰動作させることで、２つのポンプ２、３を作動させることができる。
【００３３】
ノズルヘッド２０は、２つのポンプ２、３から内容液及び空気が圧送されてくる内部通路ｔ２を内側に備えた円筒状の首筒部２０ａを備えている。首筒部２０ａは、カバー部材９を介して中空ステム７の先端に嵌合固定されており、中空ステム７とともに一体的に上下方向に移動することができる。内部通路ｔ２は、中空ステム７の内側に設けられて内部通路ｔ１に連通する内側通路ｔ３に連通している。首筒部２０ａは、その下方側の部分が支持筒部１ｄの内側に配置されて当該支持筒部１ｄに支持され、上方側の部分は支持筒部１ｄから上方に突出している。支持筒部１ｄの上端近傍における内周面には、首筒部２０ａの外周面に弾性的に当接して支持筒部１ｄの内周面と首筒部２０ａの外周面との間を密に密封するリップ状のシール片１ｅが一体に設けられている。また、図２に示すように、首筒部２０ａはエアーピストン１０の筒状ガイド１０ａに対して寸法Ｌの範囲で、上下方向に相対移動自在となっている。首筒部２０ａは図２に示す状態から、エアーピストン１０の筒状ガイド１０ａに対して寸法Ｌだけ下方に移動すると、その下端が筒状ガイド１０ａの大径部分に軸方向から当接し、さらに下方に移動する際には筒状ガイド１０ａを下方に押し下げるように構成されている。
【００３４】
内部通路ｔ２には、カバー部材９に保持された状態で２つの発泡部材（メッシュリング）２１が配置されている。
【００３５】
なお、本実施形態の発泡部材２１は、リング状となる本体部の一端部にメッシュが取り付けられた構成のものであり、２つの発泡部材２１を、それぞれのメッシュが外側を向くように（メッシュを設けていない側が合わせ目となるように）して配置されている。なお、内部通路ｔ２の発泡部材２１よりも上方側における内周面には、複数の縦リブが周方向に等間隔に並べて設けられており、これらの縦リブにより発泡部材２１の上方側への移動が規制されている。
【００３６】
図１に示すように、ノズルヘッド２０は、内部通路ｔ２に連なるとともに先端が吐出口２０ｂとなる吐出流路２０ｃを備え、首筒部２０ａの上端から首筒部２０ａの軸方向に対して傾斜した方向（略水平方向）に延びるノズル部２０ｄを有している。図３、図４に示すように、ノズル部２０ｄは略角筒状を成しており、吐出流路２０ｃの断面形状（吐出流路２０ｃの軸方向に垂直な断面における形状）は上下方向に対して水平方向の幅が広い略矩形形状（扁平形状）となっている。
【００３７】
また、吐出流路２０ｃは、内部通路ｔ２の側から吐出口２０ｂの側に向けて水平方向の幅が段差状に広がる形状となっている。すなわち、吐出流路２０ｃの内部通路ｔ２との連接部分における水平方向の幅寸法よりも、吐出流路２０ｃの吐出口２０ｂにおける水平方向の幅寸法の方が大きくなっている。
【００３８】
吐出流路２０ｃは、内部通路ｔ２の側から吐出口２０ｂの側に向けて水平方向の幅が広がる形状であれば、例えば、図５に示すように、内部通路ｔ２の側から吐出口２０ｂの側に向けて水平方向の幅が徐々に連続的に広がるテーパー形状のものとすることもできる。
【００３９】
ノズル部２０ｄの上壁にはヘッドプレート２０ｅが一体に設けられている。ヘッドプレート２０ｅは薄い板状に形成されており、ノズル部２０ｄの上壁を兼ねるとともにノズルヘッド２０を押し下げる際に手を当て易い所望の大きさに形成されている。
【００４０】
空気の吸引、加圧、圧送に供するポンプ３に外気を供給するために、ベースキャップ１と容器Ｃの口部との間には外気導入用通気路ｔ４が区画形成されている。図２に示すように、外気導入用通気路ｔ４は、ベースキャップ１の装着筒壁１ｂの内周面に沿って装着筒壁１ｂの下端から上端にまで雌ねじ１ｃを周方向に分断しつつ延びるとともに天壁１ａの内面に沿って大径シリンダ４ｂの上端に設けられた係止部４ｃを跨いで大径シリンダ４ｂの内側領域にまで延びる溝状に形成されている。大径シリンダ４ｂの内側領域にまで延びる外気導入用通気路ｔ４は、エアーピストン１０に設けられた開孔１０ｃに連通している。外気導入用通気路ｔ４は装着筒壁１ｂの下端において外部に開口しており、そこから外気をベースキャップ１の内側にあるエアーピストン１０の開孔１０ｃにまで導くことができる。図２においては、１本の外気導入用通気路ｔ４のみを示すが、本実施の形態では、ベースキャップ１と容器Ｃの口部との間には周方向に間隔を空けて４本の外気導入用通気路ｔ４が設けられている。なお、ベースキャップ１と容器Ｃの口部との間に少なくとも１本の外気導入用通気路ｔ４が設けられていれば、外気導入用通気路ｔ４の本数は種々変更可能である。
【００４１】
上記した構成を有するフォーマーディスペンサーは、ヘッドプレート２０ｅを手で下方に向けて押し下げてノズルヘッド２０を押下げ動作させると、首筒部２０ａに固定された中空ステム７がノズルヘッド２０とともに下方へ移動する。このとき、首筒部２０ａの下端は、図２に示す寸法Ｌの分、筒状ガイド１０ａに対して僅かに下方にスライドする。すなわち、エアーピストン１０は、中空ステム７の下方への移動よりも寸法Ｌの分だけ遅れて下方への移動を開始する。これにより、図６に示すように、筒状ガイド１０ａの下端がフランジ７ｂから離れて、エアーピストン１０の内側の加圧室Ｒと通気路Ａ１とが凹部空間Ｓ１を介して連通する。図６に示す状態からさらにノズルヘッド２０の押下げ動作を継続すると、エアーピストン１０が筒状ガイド１０ａを介してノズルヘッド２０により下方に向けて押されて大径シリンダ４ｂの底部の側に向けて摺動して加圧室Ｒの空気が加圧される。かかる空気は、通気路Ａ１及びカバー部材９と中空ステム７の間のスリット状の隙間通路ｔ５を通ってボール弁Ｂが配置された合流空間Ｇに圧送される。
【００４２】
一方、小径シリンダ４ａでは、ポペット６の弁部６ａが小径シリンダ４ａの内面に当接して吸引口４ｄが閉じ、中空ピストン５が中空ステム７を介してノズルヘッド２０に押されて小径シリンダ４ａの底部に向けて摺動することで小径シリンダ４ａの内部が加圧され、さらなるノズルヘッド２０の押下げ動作により中空ピストン５における内部通路ｔ１の出口からポペット６の弁部６ｂが離反し、内部通路ｔ１の内部の内容液が、中空ステム７の上部筒状壁７ｃの内側通路ｔ３を通り、ボール弁Ｂを押し上げつつボール支持部７ｅの貫通孔を通って合流空間Ｇに圧送される。
【００４３】
このようにノズルヘッド２０の押下げ動作により作動するポンプ２により合流空間Ｇに圧送された内容液は、合流空間Ｇにおいて、ノズルヘッド２０の押下げ動作により作動するポンプ３により合流空間Ｇに圧送された空気と合流する。空気と合流して気液混合状態となった内容液は、さらにノズルヘッド２０に向けて圧送されることで、発泡部材２１を通って発泡して泡状となり、ノズルヘッド２０の内部通路ｔ２及びノズル部２０ｄの吐出流路２０ｃを通って吐出口２０ｂから外部に泡状に吐出される。
【００４４】
ノズルヘッド２０をストローク端にまで押し下げた後、押下げを解除して復帰動作させると、スプリング８のばね力で中空ピストン５、中空ステム７、エアーピストン１０及びノズルヘッド２０がそれぞれ初期姿勢へと復帰する。
【００４５】
この復帰動作において、ポペット６が中空ピストン５の上方へのスライドに合わせて移動し、小径シリンダ４ａの吸引口４ｄが開かれるとともに、ボール弁Ｂがボール支持部７ｅに着座して貫通孔が閉じられることでよって小径シリンダ４ａの内部が負圧となって、吸引口４ｄから小径シリンダ４ａの内部に吸引パイプｐを通して容器Ｃの内部の内容液が小径シリンダ４ａの内部に吸引される。
【００４６】
なお、ノズルヘッド２０が復帰動作して初期姿勢となった状態では、ポペット６の弁部６ｂが中空ピストン５の上端に全周に亘って当接して内部通路ｔ１の上端が閉じられ、内部通路ｔ１と内側通路ｔ３との連通が遮断されるので、例えば容器Ｃが不意に押圧（スクイズ）され、あるいは外気温が変化することによって、容器Ｃの内部の圧力が高められても、当該圧力によって小径シリンダ４ａの内部の内容液がノズルヘッド２０の側に押し出されることを防止して、吐出口２０ｂから液だれが生じることを防止することができる。
【００４７】
一方、大径シリンダ４ｂでは、エアーピストン１０の上方へのスライドが寸法Ｌの分だけ遅れて始まるため、図２に示すように通気路Ａ１は、筒状ガイド１０ａの下端がフランジ７ｂに当接して加圧室Ｒに対して閉じた状態とされる。このため、エアーピストン１０が上方へスライドすると、加圧室Ｒは負圧となるため、開孔１０ｃを閉じていた逆止弁１１が開放され、外気導入用通気路ｔ４及び開孔１０ｃを通して加圧室Ｒに外気が導入される。また、大径シリンダ４ｂの上部には、図１に示すように横孔４ｆが設けられていて、外気導入用通気路ｔ４から導入された外気は、横孔４ｆを通して容器Ｃの内部にも流入する。これにより、内容液が容器Ｃの内部から吐出されても、容器Ｃの内部が負圧状態のままとなることはない。
【００４８】
このようにしてノズルヘッド２０の押下げ動作と復帰動作とを繰り返し行うことで、容器Ｃの内部の内容液を泡状にして連続的に吐出させることができる。
【００４９】
上記構成を有する本実施の形態のフォーマーディスペンサーでは、空気の吸引、加圧、圧送に供する空気用のポンプ３に外気を供給するための外気導入用通気路ｔ４を、ベースキャップ１と容器Ｃの口部との間に区画形成するようにしているので、支持筒部１ｄの上端から外気を取り入れる必要がない。また、本実施の形態においては、支持筒部１ｄの内周面に、首筒部２０ａの外周面に弾性的に当接して支持筒部１ｄの内周面と首筒部２０ａの外周面との間を密に密封するシール片１ｅを設けるようにしているので、ノズルヘッド２０に支持筒部１ｄの外側を覆うカバー筒を設けない構成としても、支持筒部１ｄの上端からポンプ２、３の側に水等が侵入することを防止することができる。したがって、ノズルヘッド２０に支持筒部１ｄの外側を覆うカバー筒を設ける必要をなくして、ノズルヘッド２０を小型、軽量化することができる。また、カバー筒を設ける必要がないので、ノズルヘッド２０の首筒部２０ａの外径をベースキャップ１の支持筒部１ｄよりも小径とすることができる。
【００５０】
また、上記構成において、外気導入用通気路ｔ４をベースキャップ１の下端に開口させるようにしているので、外気導入用通気路ｔ４を通して空気用のポンプ３に水等が侵入することを抑制することができる。
【００５１】
さらに、本実施の形態のフォーマーディスペンサーでは、外気導入用通気路ｔ４を、ベースキャップ１の装着筒壁１ｂの内周面に沿って装着筒壁１ｂの下端から上端にまで雌ねじ１ｃを周方向に分断しつつ延びるとともに天壁１ａの内面に沿って大径シリンダ４ｂの上端を跨いで延びる溝状に形成するようにしたので、ベースキャップ１の内面に溝を設けるだけの簡単な構成でベースキャップ１と容器Ｃの口部との間に外気導入用通気路ｔ４を構成することができる。
【００５２】
さらに、本実施の形態のフォーマーディスペンサーでは、ヘッドプレート２０ｅを薄い板状に形成するとともにノズル部２０ｄの吐出流路２０ｃの断面形状を上下方向に対して水平方向の幅が広い略矩形形状としたので、従来のフォーマーディスペンサーよりもノズルヘッド２０を薄型化し、これにより小型・軽量化することができる。
【００５３】
ここで、吐出流路の断面形状が略正方形状の場合には、ノズル部の断面積を小さくすると、吐出流路の内面の面積が減少することで内容液が吐出流路から受ける抵抗が減少し、内容液が吐出口から過度に勢いよく吐出されて周囲に飛び散ってしまうという問題が生じることになる。これに対し、本実施の形態のフォーマーディスペンサーでは、ノズル部２０ｄの断面積を小さくしてノズルヘッド２０を薄型化ないし小型化しても、吐出流路２０ｃの断面形状を上下方向に対して水平方向の幅が広い略矩形形状とすることで、同一の断面積であっても吐出流路２０ｃの内面の面積を大きくすることができ、これにより内容液が吐出流路２０ｃから受ける抵抗を増大させて、内容液が吐出口２０ｂから穏やかに吐出させることができる。したがって、内容液が吐出口２０ｂから過度に勢いよく吐出されて周囲に飛び散ってしまうという問題を生じさせることなく、ノズル部２０ｄを断面積が小さい薄型で小型のものとして、ノズルヘッド２０をさらに小型・軽量化することができる。
【００５４】
さらに、本実施の形態のフォーマーディスペンサーでは、吐出流路２ｃを、内部通路ｔ２の側から吐出口２０ｂの側に向けて水平方向の幅が広がる形状としたので、吐出流路２ｃを流れる内容液が吐出流路２０ｃの内面から受ける抵抗が徐々に増加するようにして、内容液を吐出口２０ｂからさらに穏やかに吐出させることができる。これにより、内容液が吐出口２０ｂから過度に勢いよく吐出されて周囲に飛び散ってしまうことをより確実に抑制することができるので、ノズル部２０ｄをさらに断面積が小さい薄型で小型のものとして、ノズルヘッド２０をさらに小型・軽量化することができる。
【００５５】
さらに、本実施の形態のフォーマーディスペンサーは、図７に示すように、流通時等においてノズルヘッド２０の首筒部２０ａにストッパー３０を着脱自在に装着した構成とすることで、ノズルヘッド２０を押下げ動作ができないように規制する構成とすることもできる。ストッパー３０としては、首筒部２０ａの外周面に嵌合する断面Ｃ字形状の嵌合部３０ａと嵌合部３０ａの背面に一体に連なる摘み部３０ｂとを有する構成のものを採用することができる。この場合、ノズルヘッド２０の首筒部２０ａは、ベースキャップ１の支持筒部１ｄよりも小径に形成されているので、ストッパー３０として小型のものを採用することができる。
【００５６】
本発明は前記実施の形態に限定されるものではなく、その要旨を逸脱しない範囲で種々変更可能であることはいうまでもない。
【００５７】
例えば、内容液用のポンプ２と空気用のポンプ３としては、上記構成のものに限らず、ノズルヘッド２０の押下げ動作及び復帰動作により作動して内容液ないし空気をノズルヘッド２０に向けて圧送することができるものであれば、種々の構成のものを用いることができる。
【符号の説明】
【００５８】
１    ベースキャップ
１ａ  天壁
１ｂ  装着筒壁
１ｃ  雌ねじ
１ｄ  支持筒部
１ｅ  シール片
２    内容液用のポンプ
３    空気用のポンプ
４    シリンダ部材
４ａ  小径シリンダ
４ｂ  大径シリンダ
４ｃ  係止部
４ｄ  吸引口
４ｅ  嵌合筒
４ｆ  横孔
５    中空ピストン
６    ポペット
６ａ  弁部
６ｂ  弁部
７    中空ステム
７ａ  下部筒状壁
７ｂ  フランジ
７ｃ  上部筒状壁
７ｄ  環状壁
７ｅ  ボール支持部
８    スプリング
９    カバー部材
１０    エアーピストン
１０ａ  筒状ガイド
１０ｂ  隔壁
１０ｃ  開孔
１１    逆止弁
２０    ノズルヘッド
２０ａ  首筒部
２０ｂ  吐出口
２０ｃ  吐出流路
２０ｄ  ノズル部
２０ｅ  ヘッドプレート
２１    発泡部材
３０    ストッパー
３０ａ  嵌合部
３０ｂ  摘み部
Ｃ    容器
ｐ    吸引パイプ
ｔ１    内部通路
Ｓ１    凹部空間
Ｂ    ボール弁
Ａ１    通気路
Ｒ    加圧室
ｔ２    内部通路
ｔ３    内側通路
ｔ４    外気導入用通気路
ｔ５    隙間通路
Ｇ    合流空間
【図１】
2019119472.tif 000003
【図２】
2019119472.tif 000004
【図３】
2019119472.tif 000005
【図４】
2019119472.tif 000006
【図５】
2019119472.tif 000007
【図６】
2019119472.tif 000008
【図７】
2019119472.tif 000009